(57)【特許請求の範囲】
【請求項１】
天井より低い高さの収納キャビネットの前方に下方が開放されて収納キャビネットよりも広い巾の三方枠が配設され、三方枠が収納キャビネット及び少なくとも一側において壁に固定され、三方枠の上枠に上レールを設け、上レールに収納キャビネットを開閉する吊り戸を走行自在に吊り下げると共に、吊り戸が三方枠の全幅から収納キャビネットの幅を引いた幅であることを特徴とする収納装置。
【請求項２】
三方枠の縦枠と収納キャビネットとの間に通路を形成して成ることを特徴とする請求項１記載の収納装置。
【請求項３】
収納キャビネットの前部下端部にガイドレールを設け、吊り戸の下端部に下部ランナーを設け、下部ランナーをガイドレールに走行自在に挿入して成ることを特徴とする請求項１記載の収納装置。
【請求項４】
複数の吊り戸の召し合わせ側の下端部に隣接の吊り戸側に突出させて下部ランナーを設け、下部ランナーの取付用金具の高さを異ならせて隣接の下部ランナー及び取付用金具の干渉を防止して成ることを特徴とする請求項１記載の収納装置。
【請求項５】
収納キャビネット及び縦枠に高さ調整用のアジャスターを設けて成ることを特徴とする請求項１記載の収納装置。
【発明の詳細な説明】
【０００１】
【発明の属する技術分野】
本発明は、収納装置に関し、詳しくは、天井より低い高さの収納キャビネットを開閉自在にするとともにこのような開閉を部屋の間仕切りにも利用して室内感覚を高め、屋内スペースを有効に利用できるようにする技術に係るものである。
【０００２】
【従来の技術】
従来、収納キャビネット１ａを設置しているウオークインクローゼット３８においては、例えば、図１７に示すように、開放型とされ、間仕切り壁１２にて仕切られ、ドア１３が付設されるようなものが多い。これは、開放型の収納キャビネット１ａにおいては、収納された物品が常時見えることから、室内感覚を損なうためである。このように、部屋を間仕切り壁１２にて例えば寝室１４とウオークインクローゼット３８とを仕切る場合には、室内の有効スペースが狭くなるものである。
【０００３】
【発明が解決しようとする課題】
本発明はこのような問題に鑑みてなされたものであり、天井より低い高さの収納キャビネットを開閉自在にするとともにこのような開閉を部屋の間仕切りにも利用して室内感覚を高め、結果として、室内スペースを広く使用できる収納装置を提供することを課題とするものである。
【０００４】
【課題を解決するための手段】
請求項１においては、天井より低い高さの収納キャビネット１の前方に下方が開放されて収納キャビネット１よりも広い巾の三方枠２が配設され、三方枠２が収納キャビネット１及び少なくとも一側において壁３に固定され、三方枠２の上枠４に上レール５を設け、上レール５に収納キャビネット１を開閉する吊り戸６を走行自在に吊り下げてあると共に、吊り戸６が三方枠２の全幅から収納キャビネット１の幅を引いた幅であることを特徴とするものである。このような構成によれば、収納キャビネット１は、収納キャビネット１に固定されている三方枠２の上枠４の上レール５に走行自在に設けた吊り戸６の走行によって開閉することができ、収納された物品が見えることがなく、室内感覚を低下させることがなく、かつ、三方枠２の少なくとも一側は壁３に固定されていることから、吊り戸６を壁３の際にまで走行させて収納キャビネット１の側部を閉塞して間仕切りをおこなうことができ、収納キャビネット１を有効に利用した間仕切りをおこなうことができる。
【０００５】
請求項２においては、三方枠２の縦枠７と収納キャビネット１との間に通路８を形成していることを特徴とするものである。このような構成によれば、収納キャビネット１と壁３との間の通路８を吊り戸６において開閉することができ、通行機能を維持しながら間仕切りをおこなうことができる。
【０００６】
請求項３においては、収納キャビネット１の前部下端部にガイドレール９を設け、吊り戸６の下端部に下部ランナー１０を設け、下部ランナー１０をガイドレール９に走行自在に挿入してあることを特徴とするものである。このような構成によれば、吊り戸６は下部ランナー１０にても走行がガイドされて吊り戸６を安定的に走行することができる。
【０００７】
請求項４においては、複数の吊り戸６、６の召し合わせ側の下端部に隣接の吊り戸６側に突出させて下部ランナー１０、１０を設け、下部ランナー１０、１０の取付用金具３１、３１の高さを異ならせて隣接の下部ランナー１０、１０及び取付用金具３１、３１の干渉を防止してあることを特徴とするものである。このような構成によれば、隣接する吊り戸６、６の下部ランナー１０、１０及び取付用金具３１、３１が干渉することがなく、吊り戸６、６を召し合わせて収納キャビネット１の前面の開口を隙間なく閉じることができ、かつ、吊り戸６から下部ランナー１０を突出していることから、吊り戸６をガイドレール９から突出させても下部ランナー１０をガイドレール９内に残すことができ、ガイドレール９を短くでき、例えば、歩行に邪魔になることがない。
【０００８】
請求項５においては、収納キャビネット１及び縦枠７に高さ調整用のアジャスター１１を設けてあることを特徴とするものである。このような構成によれば、アジャスター１１により収納キャビネット１及び縦枠７の高さ調整をおこなうことができ、例えば、玄関の床上に収納キャビネット１を据え付け、縦枠７を玄関の土間に据え付けることができ、収納装置Ａを段差部に設置することができる。
【０００９】
【発明の実施の形態】
以下、本発明の実施の形態を説明する。図１は斜視図である。図４は上部の断面図である。図７は下部の断面図である。
【００１０】
本発明の収納装置Ａは、例えば図１に示すように、玄関の収納に実施するものであり、天井より低い高さの収納キャビネット１を開閉自在にするとともにこのような開閉を玄関スペースの間仕切りにも利用して玄関の感覚を高め、使いやすくするものである。以下、詳述する。
【００１１】
図１及び図４に示すように、天井より低い高さの収納キャビネット１の天板１５に下方が開放されるとともに収納キャビネット１より間口が広い三方枠２の上枠４をビス１６にて固定している。三方枠２の両側の縦枠７、７は壁３、３に固定されている。この場合、一方の縦枠７のみが壁３に固定されていてもよい。
【００１２】
三方枠２の上枠４の前面下方には全長にわたって凹所１８が形成され、凹所１８の全長に上レール５がビスにて固定されている。吊り戸６の上端にはランナーローラ１７が取り付けられ、ランナーローラ１７を上レール５に走行自在に挿入することで、二枚の吊り戸６、６を収納キャビネット１の全域及び収納キャビネット１と壁３との間に形成した通路８、８にまで走行自在に吊り下げ支持している。
【００１３】
収納キャビネット１は、図２、図３及び図６に示すように、例えば、天板１５、背板１９、側板２０、地板２１、台輪２２及び引き出し２３等によって構成されている。収納キャビネット１は三方枠２に比べて充分に小巾であり、二枚の吊り戸６、６によって前面の開口が閉じられる。符号２４はダウンライト、２５は引き出し取っ手である。
【００１４】
三方枠２の上枠４に取り付けた上レール５には係止突起２６が形成され、上幕板２７の背面に取り付けた取付金具２８には係止フック２９が形成され、係止フック２９を係止突起２６に係止することで、上幕板２７を上枠４に取り付けて上レール５及びランナーローラ１７を隠している。
【００１５】
このような構成によれば、収納キャビネット１は、収納キャビネット１に固定されている三方枠２の上枠４の上レール５に走行自在に設けた吊り戸６、６の走行によって開閉することができ、収納された物品が見えることがなく、室内感覚を低下させることがなく、かつ、収納キャビネット１の巾に比べて充分に広巾の三方枠２の両縦枠７、７は壁３、３に固定されていることから、吊り戸６を壁３の際にまで走行させて収納キャビネット１と壁３との間を閉塞して間仕切りをおこなうことができ、収納キャビネット１を有効に利用した間仕切りをおこなうことができるのである。つまり、三方枠２の縦枠７と収納キャビネット１との間に通路８を形成し、この通路８を吊り戸６において開閉することができ、通行機能を維持しながら間仕切りをおこなうことができるのである。
【００１６】
図１に示すように、収納キャビネット１及び吊り戸６、６にて間仕切りされた背部スペース３０は靴、スキー及びキャディバッグ等を収納できるようになっていて、吊り戸６の開閉によって使いやすくなっている。
【００１７】
図３（ｂ）に示すように、地板２１及び台輪２２にわたってガイドレール９が取り付けられている。図７に示すように、吊り戸６の下端部に下部ランナー１０を設け、下部ランナー１０をガイドレール９に走行自在に挿入してあり、吊り戸６は下部ランナー１０にても走行がガイドされて吊り戸６を安定的に走行することができるのである。
【００１８】
更に、図７乃至図９に示すように、二枚の吊り戸６、６の召し合わせ側の下端部に隣接の吊り戸６側に突出させて下部ランナー１０、１０を設けている。下部ランナー１０は取付用金具３１と角棒状のランナー３２とから構成され、ランナー３２を取付用金具３１に取り付け、取付用金具３１を吊り戸６の下端面に固定し、ランナー３２をガイドレール９、９に挿入しているのである。このような取付用金具３１、３１の高さを異ならせている。又、ランナー３２、３２は同じ高さの別々のガイドレール９、９に挿入している。このように下部ランナー１０、１０の取付用金具３１、３１の高さを異ならせる形態は種々設計変更可能である。
【００１９】
このように、下部ランナー１０、１０の取付用金具３１、３１の高さを異ならせてあり、又、下部ランナー１０、１０は別々のガイドレール９、９に挿入されていることから、下部ランナー１０、１０はもちろん、隣接する吊り戸６、６の下部ランナー１０、１０の取付用金具３１、３１が干渉することがなく、吊り戸６、６を召し合わせて収納キャビネット１の前面の開口を隙間なく閉じることができ（図９参照）、かつ、吊り戸６から下部ランナー１０を突出していることから、吊り戸６をガイドレール９から突出させても下部ランナー１０をガイドレール９内に残すことができ、ガイドレール９を収納キャビネット１から突出させなくてもよく、短くすることができ、例えば、歩行に邪魔になることがないのである。尚、図１３乃至図１５は一本の下部ランナー１０の実施の形態を示している。
【００２０】
図１０乃至図１２はアジャスター１１を示し、図１のように収納キャビネット１の玄関側と三方枠２の玄関側の縦枠７に取り付けるものである。アジャスター１１は収納キャビネット１及び縦枠７側に取り付けるナット部３３と玄関の土間３４側に固定するボルト部３５とから構成され、ボルト部３５に固定している操作用の円筒体３９とともに回して高さ調整をした後、ダブルナット４０により固定してアジャスター１１の座部３６をビスにて土間３４に固定するものである。
【００２１】
このように、収納キャビネット１及び縦枠７に高さ調整用のアジャスター１１を設けてあることから、アジャスター１１により収納キャビネット１及び縦枠７の高さ調整をおこなうことができ、例えば、玄関の床３７の上に設置した収納キャビネット１の一部を土間３４側に出して据え付け、又、縦枠７を玄関の土間３４に据え付けることができ、収納装置Ａを段差部に設置することができるのである。
【００２２】
図１６は他の実施の形態を示し、本発明の収納装置Ａを寝室１４とウオークインクローゼット３８間に設置したものである。このように、本発明の収納装置Ａは種々の箇所に設置することができるものである。
【００２３】
【発明の効果】
請求項１においては、天井より低い高さの収納キャビネットの前方に下方が開放されて収納キャビネットよりも広い巾の三方枠が配設され、三方枠が収納キャビネット及び少なくとも一側において壁に固定され、三方枠の上枠に上レールを設け、上レールに収納キャビネットを開閉する吊り戸を走行自在に吊り下げてあると共に、吊り戸が三方枠の全幅から収納キャビネットの幅を引いた幅であるから、収納キャビネットは、収納キャビネットに固定されている三方枠の上枠の上レールに走行自在に設けた吊り戸の走行によって開閉することができ、収納された物品が見えることがなく、室内感覚を低下させることがなく、かつ、三方枠の少なくとも一側は壁に固定されていることから、吊り戸を壁の際にまで走行させて収納キャビネットの側部を閉塞して間仕切りをおこなうことができ、収納キャビネットを有効に利用した間仕切りをおこなうことができ、例えば、ウオークインクローゼットや玄関収納において屋内スペースの有効利用を図ることができるという利点がある。
【００２４】
請求項２においては、請求項１の構成に加えて、三方枠の縦枠と収納キャビネットとの間に通路を形成しているから、請求項１の効果に加えて、収納キャビネットと壁との間の通路を吊り戸において開閉することができ、通行機能を維持しながら間仕切りをおこなうことができるという利点がある。
【００２５】
請求項３においては、請求項１の構成に加えて、収納キャビネットの前部下端部にガイドレールを設け、吊り戸の下端部に下部ランナーを設け、下部ランナーをガイドレールに走行自在に挿入してあるから、請求項１の効果に加えて、吊り戸は下部ランナーにても走行がガイドされて吊り戸を安定的に走行することができるという利点がある。
【００２６】
請求項４においては、請求項１の構成に加えて、複数の吊り戸の召し合わせ側の下端部に隣接の吊り戸側に突出させて下部ランナーを設け、下部ランナーの取付用金具の高さを異ならせて隣接の下部ランナー及び取付用金具の干渉を防止してあるから、隣接する吊り戸の下部ランナー及び取付用金具が干渉することがなく、吊り戸を召し合わせて収納キャビネットの前面の開口を隙間なく閉じることができ、かつ、吊り戸から下部ランナーを突出していることから、吊り戸をガイドレールから突出させても下部ランナーをガイドレール内に残すことができ、ガイドレールを短くでき、例えば、歩行に邪魔になることがないという利点がある。
【００２７】
請求項５においては、請求項１の構成に加えて、段差部に設置するために、収納キャビネット及び縦枠に高さ調整用のアジャスターを設けてあるから、アジャスターにより収納キャビネット及び縦枠の高さ調整をおこなうことができ、例えば、玄関の床上に収納キャビネットを据え付け、縦枠を玄関の土間に据え付けることができ、収納装置を段差部に設置することができるという利点がある。
【図面の簡単な説明】
【図１】本発明の実施の一形態の斜視図である。
【図２】同上の収納キャビネットの正面図である。
【図３】（ａ）は同上の収納キャビネットの側断面図、（ｂ）は下部側面図である。
【図４】同上の上部の断面図である。
【図５】同上の部分分解斜視図である。
【図６】同上の部分分解斜視図である。
【図７】同上の下部の断面図である。
【図８】同上の概略底面図である。
【図９】同上の概略正面図である。
【図１０】同上のアジャスターの分解斜視図である。
【図１１】同上の平面図である。
【図１２】同上の正面図である。
【図１３】同上の他の実施の形態の断面図である。
【図１４】（ａ）は同上の下部ランナーの底面図、（ｂ）は正面図、（ｃ）は側面図である。
【図１５】同上の下部ランナーの他の実施の形態を示し、（ａ）は下部ランナーの底面図、（ｂ）は正面図である。（ｃ）は側面図である。
【図１６】同上の他の実施の形態の斜視図である。
【図１７】従来例の説明図である。
【符号の説明】
１  収納キャビネット
２  三方枠
３  壁
４  上枠
５  上レール
６  吊り戸
７  縦枠
８  通路
９  ガイドレール
１０  下部ランナー
１１  アジャスター
【図１】
0003687526.tif 000002
【図２】
0003687526.tif 000003
【図３】
0003687526.tif 000004
【図４】
0003687526.tif 000005
【図５】
0003687526.tif 000006
【図６】
0003687526.tif 000007
【図７】
0003687526.tif 000008
【図８】
0003687526.tif 000009
【図９】
0003687526.tif 000010
【図１０】
0003687526.tif 000011
【図１１】
0003687526.tif 000012
【図１２】
0003687526.tif 000013
【図１３】
0003687526.tif 000014
【図１４】
0003687526.tif 000015
【図１５】
0003687526.tif 000016
【図１６】
0003687526.tif 000017
【図１７】
0003687526.tif 000018